(57)【特許請求の範囲】
【請求項１】
駆動部を有する複数の鍵が、各々回動自在に共通基端部で一体に接続されて成る鍵ユニットと、
鍵基端部固着部を有する支持部材と、
前記各鍵の駆動部に対応して一端側に配された被駆動部を有し、前記支持部材に対して各々回動自在に配設された複数の質量体と、
前記支持部材に設けられ、前記支持部材に配設されている対応する質量体の被駆動部の側に向かって下方に傾斜している傾斜面を有し、前記鍵ユニットの組み付け工程において前記各鍵の駆動部と当接することで該駆動部の上下方向の位置を規制する鍵装着ガイド部とを有し、
前記支持部材の前記鍵基端部固着部に前記鍵ユニットの前記共通基端部が固着され、且つ前記鍵ユニットの前記各鍵の駆動部が対応する質量体の被駆動部に係合した状態で組み付け済み状態となり、
前記組み付け済み状態において、前記各鍵の回動に応じて、前記各鍵の駆動部により対応する質量体の被駆動部が駆動されて、該対応する質量体が回動するように構成された鍵盤装置であって、
前記複数の質量体が前記支持部材に配設された状態で、前記鍵ユニットを前記鍵の長手方向に移動させることで、前記各鍵の駆動部が、対応する鍵装着ガイド部の前記傾斜面をスライドして、前記鍵ユニットのすべての鍵の駆動部がそれぞれ対応する質量体の被駆動部に一斉に係合すると共に、前記駆動部が前記被駆動部に一斉に係合したとき、前記鍵ユニットの前記共通基端部が、前記支持部材の前記鍵基端部固着部に対して固着可能な位置に位置するように構成されたことを特徴とする鍵盤装置。
【請求項２】
前記鍵装着ガイド部は前記支持部材とは別体で構成され、前記鍵装着ガイド部を装着するための装着部が前記支持部材に設けられ、前記鍵ユニットの組み付け終了後に、前記鍵ユニットが組み付けられたままの状態で前記鍵装着ガイド部を前記装着部から取り外し可能なように構成されたことを特徴とする請求項１記載の鍵盤装置。
【請求項３】
前記鍵ユニットの組み付け時において、前記鍵装着ガイド部と前記支持部材に配設されている対応する質量体の被駆動部との隙間が、前記鍵ユニットの対応する鍵の駆動部の前後方向の幅より小さいことを特徴とする請求項１または２記載の鍵盤装置。
【請求項４】
前記鍵ユニットにおいて、前記各鍵の駆動部の位置は、上下方向及び前後方向において同一であって、且つ、前記複数の質量体が前記支持部材に配設された状態で、前記各質量体の被駆動部の位置は、上下方向及び前後方向において同一であることを特徴とする１〜３のいずれか１項に記載の鍵盤装置。
【発明の詳細な説明】
【技術分野】
【０００１】
本発明は、鍵操作に応じて回動する質量体を有する鍵盤装置に関する。
【背景技術】
【０００２】
従来、下記特許文献１に示されるように、押鍵時に適当な慣性力を与えるために、各鍵に対応する質量体を設けた鍵盤装置が知られている。この鍵盤装置は、質量体を鍵フレーム等に回動自在に配設し、対応する鍵の回動動作に応じて質量体が回動するように構成される。鍵には駆動部が設けられ、質量体には、駆動部に対応する被駆動部が設けられ、押鍵動作に応じて、駆動部が被駆動部を駆動することで、質量体が鍵に連動して回動する。
【先行技術文献】
【特許文献】
【０００３】
【特許文献１】特許３０６０９３８号公報
【発明の概要】
【発明が解決しようとする課題】
【０００４】
しかしながら、上記従来の鍵盤装置においては、各鍵を鍵フレームに組み付けるには、鍵後端部を鍵支点部に回動自在に係合させると共に、鍵の駆動部を、対応する質量体の被駆動部に嵌合等により係合させなければならない。しかも、鍵前端部においては、鍵動作ガイドに対して鍵前端部を係合させる必要もある。
【０００５】
従って、鍵の組み付け工程においては、係合させるべきすべての箇所を適切に係合させるためには、適切な位置合わせ等のコツが必要で、その作業には熟練を要するものである。例えば、鍵後端部を鍵支点部に係合させつつ、それとほぼ同時に、鍵の駆動部を質量体の被駆動部に係合させるという作業が必要である。しかも、その作業は、各鍵毎に行わなければならず、全鍵について組付けを行うのに長時間がかかる。よって、鍵操作に応じて回動する質量体が設けられる鍵盤装置において、特に鍵の組み付け作業が容易でないという問題があった。
【０００６】
本発明は上記従来技術の問題を解決するためになされたものであり、その目的は、鍵操作に応じて回動する質量体を有する鍵盤装置において、鍵の組み付け作業を容易にすることができる鍵盤装置を提供することにある。
【課題を解決するための手段】
【０００７】
上記目的を達成するために本発明の請求項１の鍵盤装置は、駆動部を有する複数の鍵が、各々回動自在に共通基端部で一体に接続されて成る鍵ユニットと、鍵基端部固着部を有する支持部材と、前記各鍵の駆動部に対応して一端側に配された被駆動部を有し、前記支持部材に対して各々回動自在に配設された複数の質量体と、前記支持部材に設けられ、前記支持部材に配設されている対応する質量体の被駆動部の側に向かって下方に傾斜している傾斜面を有し、前記鍵ユニットの組み付け工程において前記各鍵の駆動部と当接することで該駆動部の上下方向の位置を規制する鍵装着ガイド部とを有し、前記支持部材の前記鍵基端部固着部に前記鍵ユニットの前記共通基端部が固着され、且つ前記鍵ユニットの前記各鍵の駆動部が対応する質量体の被駆動部に係合した状態で組み付け済み状態となり、前記組み付け済み状態において、前記各鍵の回動に応じて、前記各鍵の駆動部により対応する質量体の被駆動部が駆動されて、該対応する質量体が回動するように構成された鍵盤装置であって、前記複数の質量体が前記支持部材に配設された状態で、前記鍵ユニットを前記鍵の長手方向に移動させることで、前記各鍵の駆動部が、対応する鍵装着ガイド部の前記傾斜面をスライドして、前記鍵ユニットのすべての鍵の駆動部がそれぞれ対応する質量体の被駆動部に一斉に係合すると共に、前記駆動部が前記被駆動部に一斉に係合したとき、前記鍵ユニットの前記共通基端部が、前記支持部材の前記鍵基端部固着部に対して固着可能な位置に位置するように構成されたことを特徴とする。
【発明の効果】
【０００８】
本発明の請求項１によれば、鍵操作に応じて回動する質量体を有する鍵盤装置において、鍵の組み付け作業を容易にすることができる。
【図面の簡単な説明】
【０００９】
【図１】本発明の第１の実施の形態に係る鍵盤装置の縦断面図である。
【図２】１つの鍵ユニットの平面図である。
【図３】鍵ユニットの後半部の側面図である。
【図４】白鍵の前半部の断面図（図（ａ））、及び白鍵の前半部の裏面図（図（ｂ））である。
【図５】黒鍵の前半部の側面図（一部断面図）である。
【図６】鍵フレームに質量体が組み付けられた状態を示す部分平面図である。
【図７】鍵フレームの部分正面図である。
【図８】本発明の第２の実施の形態に係る鍵盤装置の前部の部分断面図である。
【図９】キーガイド部及び被キーガイド部の変形例を示す白鍵の前半部の裏面図である。
【発明を実施するための形態】
【００１０】
以下、本発明の実施の形態を図面を参照して説明する。
【００１１】
（第１の実施の形態）
図１は、本発明の第１の実施の形態に係る鍵盤装置の縦断面図である。この鍵盤装置１は、電子鍵盤楽器として構成される。以降、鍵盤装置１の奏者側（同図左方）を前方と呼称する。
【００１２】
図１に示すように、鍵盤装置１において、上ケース６０と下ケース７０とで構成される筐体内に、鍵フレーム１０が配設される。鍵フレーム１０には、複数の白鍵２０及び複数の黒鍵４０から成る鍵ユニットＫＵが複数配設される。各鍵ユニットＫＵの共通基端部３０が鍵フレーム１０に固定的に保持され、白鍵２０、黒鍵４０の各々の自由端部が上下方向に回動（乃至揺動）自在にされている。鍵ユニットＫＵの詳細な構成については後述する。
【００１３】
鍵フレーム１０は、下ケース７０に対して、複数のネジ７２、７３、７４で結合される。また、下ケース７０、上ケース６０及び鍵フレーム１０が、各々の前部において、複数のネジ７１で共締めにより結合される。さらに、下ケース７０と上ケース６０とが、各々の後部の適所において複数のネジで結合される（図示せず）。下ケース７０の下部には、電池収容等のための凹部１８が形成されている。
【００１４】
以降、鍵盤装置１の構成要素のうち、白鍵２０、黒鍵４０に対応し、且つ同種のものについて、同じ符号を用いる場合があるが、白鍵２０に対応するものと黒鍵４０に対応するものとを区別する必要があるときは、その符号の後に、それぞれ「Ｗ」、「Ｂ」を付して区別する。
【００１５】
鍵フレーム１０には、白鍵２０、黒鍵４０の各々に対応して、質量体５０（５０Ｗ、５０Ｂ）が設けられる。各質量体５０Ｗ、５０Ｂは、各々の軸受け部５１で、鍵フレーム１０に形成された質量体支持リブ１３（１３Ｗ、１３Ｂ；図６で後述）に設けられた回動軸１４（１４Ｗ、１４Ｂ；図６で後述）を中心に上下方向に回動自在に支持される。質量体５０Ｗ、５０Ｂの後端部５２（５２Ｗ、５２Ｂ）は、各質量体５０Ｗ、５０Ｂの質量のほとんどが集中している。質量体５０は、対応する鍵と連動して回動し（詳細は後述する）、回動することで、対応する鍵に対して適当な慣性力を付与し、アコースティックピアノのようなタッチ感触を実現している。
【００１６】
鍵フレーム１０の後部において、上側に上限ストッパ８３、下側に下限ストッパ８４が設けられる。これら上限ストッパ８３、下限ストッパ８４は、各鍵に対応して設けてもよいが、本実施の形態では、複数鍵（例えば、全鍵あるいは１つの鍵ユニットＫＵ中の全鍵）に共通に設けられる。質量体５０の後端部５２が下限ストッパ８４に当接することで、質量体５０及びそれに対応する鍵の非押鍵位置（初期位置）が規制される。一方、質量体５０の後端部５２が上限ストッパ８３に当接することで、質量体５０及びそれに対応する鍵の押鍵終了位置（回動終了位置）が規制される。
【００１７】
また、鍵フレーム１０に設けられた基板８０上に、押鍵スイッチ８１が白鍵２０、黒鍵４０の各々に対応して設けられ、これらの押鍵スイッチ８１が、対応する鍵の押下操作を検出する。押鍵スイッチ８１による検出結果に基づき、不図示の楽音発生部により楽音が発生する。
【００１８】
また、鍵フレーム１０の前部には押鍵動作の案内をするキーガイド部１２が各白鍵２０に対応して設けられる。白鍵２０の前端部２０ａには、キーガイド部１２に係合する被キーガイド部３３（図４で後述）が形成され、両者の係合により、白鍵２０の前端部２０ａは、その左右方向の移動が規制されて、上下方向に適切に動作するようになっている。
【００１９】
図２は、１つの鍵ユニットＫＵの平面図である。鍵ユニットＫＵは、２つの白鍵ユニットＫＵＷ（ＫＵＷ１、ＫＵＷ２）と１つの黒鍵ユニットＫＵＢから成る。同図においては、鍵ユニットＫＵＢが仮想線で示されている。図３は、鍵ユニットＫＵの後半部の側面図である。
【００２０】
本実施の形態では、１つの鍵ユニットＫＵは、図２に示すように、１オクターブを単位として構成されるが、これに限られず、複数鍵を含む構成であればよく、２オクターブ以上の鍵が一体とされた構成であってもよい。まず、図２、図３に示すように、白鍵ユニットＫＵＷは、音名でいう「Ｄ、Ｆ、Ａ」の白鍵２０が基端部２１で一体に接続された第１白鍵ユニットＫＵＷ１と、「Ｃ、Ｅ、Ｇ、Ｂ」の白鍵２０が基端部２１で一体に接続された第２白鍵ユニットＫＵＷ２とで成る。黒鍵ユニットＫＵＢは、音名でいう「Ｃ＃、Ｄ＃、Ｆ＃、Ｇ＃、Ａ＃」の黒鍵４０が基端部４１で一体に接続されてなる。基端部２１と基端部４１とで共通基端部３０が構成される。
【００２１】
第１白鍵ユニットＫＵＷ１、第２白鍵ユニットＫＵＷ２は、それぞれ、各々の基端部２１に、いずれも薄板状の垂直ヒンジ部２４及び水平ヒンジ２２を介して白鍵本体２３が連結されて構成される。基端部２１に連接される垂直ヒンジ部２４は、左右方向に撓みやすく、自由状態においては、白鍵本体２３の自由端部の鍵並び方向（左右方向）への揺動を許容する。この垂直ヒンジ部２４と、後述するキーガイド部１２と被キーガイド部３３との協働作用によって、製造誤差や組み付け誤差等による白鍵本体２３の鍵並び方向の位置ずれが適切に補正される。
【００２２】
垂直ヒンジ部２４の前側に連接される水平ヒンジ２２は、上下方向に撓みやすく、自由状態において、基端部２１及び垂直ヒンジ部２４に対して白鍵本体２３の自由端部を押離鍵方向（上下方向）に回動自在にする。厳密には、水平ヒンジ２２と垂直ヒンジ部２４との接続部が、白鍵本体２３の回動支点部を構成する。また、白鍵本体２３の後部上部には、黒鍵４０が回動するときに黒鍵４０との干渉を回避するための逃がし部２５が形成されている。
【００２３】
黒鍵ユニットＫＵＢは、基端部４１に、薄板状の水平ヒンジ４２を介して黒鍵本体４３が連結されて構成される。図２に２点鎖線で示すように、水平ヒンジ４２は、各黒鍵本体４３に対して２つ設けられ、互いに離間した位置に形成される。水平ヒンジ４２は、水平ヒンジ２２と同様に、基端部４１に対して黒鍵本体４３の自由端部を押離鍵方向に回動自在にする。厳密には、水平ヒンジ４２と基端部４１との接続部が、黒鍵本体４３の回動支点部を構成する。
【００２４】
下から順に、第２白鍵ユニットＫＵＷ２の基端部２１、第１白鍵ユニットＫＵＷ１の基端部２１、黒鍵ユニットＫＵＢの基端部４１が積層嵌合されて、これら基端部２１、２１、４１が共通基端部３０を構成する。また、基端部２１、２１、４１には、それぞれ、ネジ締結用穴２６、２６、４４が複数穿設されている。共通基端部３０の下部でもある、第２白鍵ユニットＫＵＷ２の基端部２１の下部には、前後方向の位置決め基準となる、互いに対向する当接面２７、２８が形成されている。
【００２５】
一方、鍵フレーム１０における前後方向中央よりやや後方上部には、共通基端部３０が固着されるための固着部１５、１６が、当接面２７、２８に対応して形成されている（図６も参照）。固着部１５、１６は、それぞれ、鍵フレーム１０から上方に突出した部分の前端面、後端面で成る。鍵フレーム１０における固着部１５、１６の前後方向中間位置には、ネジ締結用穴２６、４４に対応してネジ穴１７が複数形成されている（図６も参照）。
【００２６】
共通基端部３０の当接面２７、２８を固着部１５、１６に当接対向させて、ネジ８２（図１参照）を、共通基端部３０のネジ締結用穴２６、４４を介してネジ穴１７に螺合することで、共通基端部３０が鍵フレーム１０に対して締結固着される。これによって、白鍵２０、黒鍵４０が演奏操作により回動する状態となる。なお、共通基端部３０の固定の態様はこれに限定されるものではない。
【００２７】
一体となった鍵ユニットＫＵにおいては、黒鍵４０の水平ヒンジ４２は、白鍵２０の水平ヒンジ２２よりも後方に位置する。これにより、黒鍵４０の自由端部から上記回動支点部までの距離を極力長くして、黒鍵４０の演奏操作性を向上させている。また、垂直ヒンジ部２４と水平ヒンジ４２との前後方向の位置が略一致しており、白鍵２０の垂直ヒンジ部２４は、黒鍵４０の水平ヒンジ４２のほぼ直下に位置している。すなわち、垂直ヒンジ部２４は、水平ヒンジ４２の下方のスペースを有効利用して配設されている。さらに、垂直ヒンジ部２４の上端面は、前方に向かって下方にやや傾斜する傾斜面２４ａとなっている（図３参照）。これにより、黒鍵４０の下方への回動時に、黒鍵４０の水平ヒンジ４２と垂直ヒンジ部２４とが干渉することが回避されている。
【００２８】
図４（ａ）は、白鍵２０の前半部の断面図、図４（ｂ）は白鍵２０の前半部の裏面図である。図５は、黒鍵４０の前半部の側面図（一部断面図）である。図６は、鍵フレーム１０に質量体５０が組み付けられた状態を示す部分平面図である。図７は、鍵フレーム１０の部分正面図である。
【００２９】
図６に示すように、鍵フレーム１０には、上記質量体支持リブ１３が形成される。鍵フレーム１０は樹脂製であり、金型により射出成形される。質量体支持リブ１３は、鍵フレーム１０の上面において、鍵フレーム１０と一体に形成され、前後方向及び上下方向に沿って薄板状に延設されている。質量体支持リブ１３Ｗ、１３Ｂは、白鍵２０、黒鍵４０に対応してそれぞれ一対設けられる。すべての質量体支持リブ１３Ｗ、質量体支持リブ１３Ｂは、それぞれ、前後方向における同じ位置に設けられる。質量体支持リブ１３Ｂは、質量体支持リブ１３Ｗよりも後方に位置し、前後方向における質量体支持リブ１３Ｗと質量体支持リブ１３Ｂとのオーバーラップする部分が少なくなっている。
【００３０】
また、各一対の質量体支持リブ１３Ｗ間、各一対の質量体支持リブ１３Ｂ間には、上記回動軸１４Ｗ、上記回動軸１４Ｂが、それぞれ懸架されている。回動軸１４Ｂは、回動軸１４Ｗよりも後方に位置し、両者は、前後方向においてオーバーラップしていない。
【００３１】
鍵フレーム１０の前部には、傾斜面１９が形成されている。後述するように、傾斜面１９は、鍵フレーム１０への質量体５０の組み付け時、及び鍵ユニットＫＵの組み付け時において、装着ガイド機能を果たす。また、図１、図４（ｂ）、図６、図７に示すように、鍵フレーム１０の最前部には、左右方向に平行なリブ１１が、各白鍵２０に対応する位置に形成されている。さらに、リブ１１の前面に連接して、上下方向に延びる上記キーガイド部１２が一体に形成されている。
【００３２】
図１に示すように、質量体５０の軸受け部５１は、後方が開口している。軸受け部５１を、その開口した側から回動軸１４に嵌合することで、図６に示すように、質量体５０Ｗ、５０Ｂが、それぞれ回動軸１４Ｗ、回動軸１４Ｂを中心に回動自在になる。質量体５０は、回動軸１４に回動自在に配設された自由状態（未だ鍵が配設されていない状態）では、自重により、後端部５２が下限ストッパ８４（図１参照）に当接し、前端部が上方に、後端部５２が下方にそれぞれ位置するようになっている。
【００３３】
質量体５０の軸受け部５１の下側からは後方に向かって舌片が延設されている。舌片は柔らかい樹脂等で構成され可撓性を有し、軸受け部５１を回動軸１４に嵌合する際、舌片が、ガイド機能を果たす。また、軸受け部５１の開口部は、舌片の根本付近の方が舌片の先端付近よりも細くなっており、軸受け部５１に嵌合された回動軸１４が抜けにくくなっている。
【００３４】
図４（ａ）、図５、図６に示すように、質量体５０Ｗ、５０Ｂの各前端部には、白鍵２０、黒鍵４０によってそれぞれ駆動される被駆動部である下側係合片５３Ｗ、５３Ｂと、上側係合片５４Ｗ、５４Ｂとが設けられ、これら上側係合片５４Ｗ、５４Ｂ及び下側係合片５３Ｗ、５３Ｂの間に、それぞれ被嵌合凹部５５Ｗ、５５Ｂが形成される（図４（ａ）、図５参照）。
【００３５】
ここで、前後方向及び上下方向における位置関係は、上側係合片５４Ｗと上側係合片５４Ｂとで同一、下側係合片５３Ｗと下側係合片５３Ｂとで同一となっている。回動軸１４Ｂを回動軸１４Ｗよりも後方にずらしたことにより、下側係合片５３Ｂと回動軸１４Ｂとの距離の方が、下側係合片５３Ｗと回動軸１４Ｗとの距離よりも長くなっている（図６参照）。これにより、後端部５２の質量が同じである質量体５０同士の単独回動で考えれば、テコ比の関係で、下側係合片５３Ｗ、５３Ｂが駆動されるとき、質量体５０Ｗよりも質量体５０Ｂの方が、より弱い駆動力で回動する。
【００３６】
図４（ａ）に示すように、白鍵２０の前半部の下部には、駆動用垂下片２９が垂下して一体に設けられる。駆動用垂下片２９の下端部には、ゴム等の弾性部材３１Ｗが固着されており、この弾性部材３１Ｗ（の下端）が、対応する質量体５０Ｗを直接駆動する駆動部として機能する。すなわち、鍵ユニットＫＵの鍵フレーム１０への適切な組み付け後においては、弾性部材３１Ｗは、質量体５０Ｗの被嵌合凹部５５Ｗにおいて、下側係合片５３Ｗと上側係合片５４Ｗとの間に係合し、下側係合片５３Ｗの上面５３Ｗａと上側係合片５４Ｗの下面５４Ｗａとに常に当接する。
【００３７】
例えば、白鍵２０が押鍵されると、当該白鍵２０の駆動用垂下片２９の弾性部材３１Ｗが、対応する質量体５０Ｗの下側係合片５３Ｗの上面５３Ｗａを駆動し、該質量体５０Ｗが、白鍵２０に連動して押鍵方向（質量体５０Ｗの前端部が下方に移動する方向）に回動する。一方、離鍵がなされると、質量体５０Ｗの自重と、白鍵２０の水平ヒンジ２２の弾性による復帰力とによって、白鍵２０と共に質量体５０Ｗが離鍵方向（質量体５０Ｗの前端部が上方に移動する方向）に連動して回動する。従って、演奏操作においては、白鍵２０と質量体５０Ｗとが常に連動して回動する。
【００３８】
質量体５０Ｂの前端部の構成、黒鍵４０と質量体５０Ｂとの係合関係は、白鍵２０乃至質量体５０Ｗと同様である。すなわち、図５に示すように、黒鍵４０の前半部の下部には、駆動用垂下片４５が垂下して一体に設けられる（図１も参照）。駆動用垂下片４５の下端部に固着された弾性部材３１Ｂが、質量体５０Ｂの被嵌合凹部５５Ｂにおいて、下側係合片５３Ｂと上側係合片５４Ｂとの間に係合し、下側係合片５３Ｂの上面５３Ｂａと上側係合片５４Ｂの下面５４Ｂａとに常に当接する。演奏時における黒鍵４０と質量体５０Ｂとの間の作用、動作も白鍵２０乃至質量体５０Ｗと同様である。
【００３９】
図４（ａ）、（ｂ）に示すように、白鍵２０の前端部２０ａには、上記被キーガイド部３３が形成される。被キーガイド部３３は、略上下方向に長いスリットであり、キーガイド部１２の幅より僅かに大きい幅を有している。また、被キーガイド部３３の左右両側において、被キーガイド部３３の前部に連接して案内部３２が一体に形成されている。案内部３２は、鍵ユニットＫＵを鍵フレーム１０に組み付ける際に、キーガイド部１２が被キーガイド部３３に適切に係合するように案内する機能を果たす。キーガイド部１２と被キーガイド部３３との摺動面には、潤滑剤が塗布される。
【００４０】
図１、図４（ａ）に示すように、鍵フレーム１０の前部に設けられた上記傾斜面１９は、後方にいくにつれて下方に傾斜している。傾斜面１９は、質量体５０を前方から後方に移動させて、鍵フレーム１０に組み付ける際、質量体５０の前端部の下面５０ａ、５０ｂ（図４（ａ）、図５参照）と当接して、それらの上下方向の位置を規制し、質量体５０の舌片と協働して、質量体５０の軸受け部５１が回動軸１４に適切に嵌合するように質量体５０を導く。傾斜面１９はまた、質量体５０が鍵フレーム１０に組み付けられた状態において、鍵ユニットＫＵを前方から後方に移動させて、鍵フレーム１０に組み付ける際、各鍵の弾性部材３１と当接して、弾性部材３１の上下方向の位置を規制し、各鍵の弾性部材３１が、対応する質量体５０の被嵌合凹部５５に嵌合するように鍵ユニットＫＵを導く。
【００４１】
ここで、傾斜面１９は、各質量体５０の下面５０ａ、５０ｂ乃至各鍵の弾性部材３１と当接して装着ガイド機能を果たす各部分の側面視方向の断面形状が同一である。すなわち、傾斜面１９は、全鍵盤幅に亘って一様な平面である必要はなく、一部に凹部等が存在してもよいが、ガイド機能を果たす部分については、いずれの箇所も面一となっている。これにより、鍵フレーム１０の成形に用いる金型の加工が容易となっている。
【００４２】
また、図４（ａ）に示すように、傾斜面１９の上下方向の位置は、組み付けられた質量体５０の下側係合片５３の上端位置に近接している。これにより、鍵ユニットＫＵの組み付け時に、弾性部材３１が傾斜面１９上を滑らかにスライド移動して、下側係合片５３Ｗの上面５３Ｗａに容易に乗り、質量体５０の被嵌合凹部５５に係合しやすくなっている。また、傾斜面１９の後端と質量体５０の下側係合片５３の前端との隙間Ｃ１は、白鍵２０、黒鍵４０の各駆動用垂下片２９、４５の前後方向の幅のうち小さい方（例えば駆動用垂下片４５の幅）より小さい。これにより、鍵ユニットＫＵの組み付け時に、駆動用垂下片２９、４５が上記隙間Ｃ１から落ち込むことなく円滑に案内される。さらに、傾斜面１９の傾斜により、鍵ユニットＫＵの組み付けの際に、鍵ユニットＫＵの自重を利用して、鍵ユニットＫＵを軽く押すか適当な位置で手を離すだけで鍵ユニットＫＵを後方に移動させることができ、組み付けが容易である。
【００４３】
かかる構成において、質量体５０及び鍵ユニットＫＵを鍵フレーム１０に組み付ける方法を改めて詳細に説明する。ここで、従来においては、質量体５０の下側係合片５３に相当する被駆動部の位置が、白鍵に対応するものと黒鍵に対応するものとで、前後方向及び上下方向において明確に異なっていた。そのため、通常の作業者にとって、同時に複数鍵を組み付けることは困難であり、事実上、各鍵を１本ずつ組み付ける作業手法が採用されていた。ところが、本実施の形態においては、以下のように、複数鍵一体の鍵ユニットＫＵを容易に組み付けることを可能としている。
【００４４】
まず、鍵フレーム１０に対して、すべての質量体５０を、１本ずつ組み付ける。すなわち、質量体５０の軸受け部５１の開口した側を回動軸１４（図１、図６参照）に向け、質量体５０の前端部の下面５０ａ、５０ｂを傾斜面１９に摺接させながら、質量体５０を後方に移動させる。そして、軸受け部５１を回動軸１４に嵌合して、質量体５０を、回動軸１４を中心に回動自在とする。同様にして、すべての質量体５０の組み付けが完了したとき、質量体５０を自由状態にすると、全質量体５０が回動初期状態となる。すなわち、全質量体５０の前端部が上下及び鍵並び方向において同じ位置に並び、且つ被嵌合凹部５５が前方に開口した状態となる（図６参照）。
【００４５】
一方、白鍵ユニットＫＵＷ１、ＫＵＷ２と黒鍵ユニットＫＵＢとを重ねて一体化した鍵ユニットＫＵ（１オクターブ分）を、必要数分、別途構成しておく。そして、まず、１つの鍵ユニットＫＵの鍵並び方向の位置を合わせつつ、鍵ユニットＫＵ中のすべての白鍵２０、黒鍵４０の弾性部材３１Ｗ、３１Ｂを、傾斜面１９上に当接させる。そして、鍵ユニットＫＵの自重を利用しながら、傾斜面１９上を、鍵ユニットＫＵを後方にスライド移動させると、鍵ユニットＫＵ中のすべての弾性部材３１が、一斉に、対応する質量体５０の下側係合片５３（の上面５３Ｗａ、５３Ｂａ）に当接した状態となる。鍵ユニットＫＵをさらに後方に移動させると、すべての弾性部材３１が、質量体５０の下側係合片５３と上側係合片５４との間（被嵌合凹部５５）に一斉に嵌合状態で係合する（図４（ａ）参照）。このように、鍵ユニットＫＵを単純に後方にスライド移動させるだけで、弾性部材３１を質量体５０の被嵌合凹部５５に容易に係合させることができる。
【００４６】
一方、弾性部材３１が、被嵌合凹部５５に係合するのと並行して、鍵ユニットＫＵ中の白鍵２０の被キーガイド部３３が、鍵フレーム１０の対応するキーガイド部１２に自然に係合する（図４（ｂ）参照）。垂直ヒンジ部２４（図２、図３参照）の存在により、組み付け途中においては、白鍵２０の自由端部の鍵並び方向の位置は正規の位置とは限らないが、案内部３２により、キーガイド部１２が案内されて、被キーガイド部３３と適切に係合する。これにより、白鍵２０の自由端部の鍵並び方向の位置が容易に且つ適切に規制される。ちなみに、厳密な順序としては、組み付け行程において、弾性部材３１が質量体５０の被嵌合凹部５５に嵌合されるより少し先に、キーガイド部１２と被キーガイド部３３との係合が始まるようになっている。
【００４７】
また、すべての弾性部材３１を、質量体５０の被嵌合凹部５５に係合させたとき、鍵ユニットＫＵの共通基端部３０が鍵フレーム１０の固着部１５、１６の直上、すなわち、直ちに固着可能な位置に位置するようになっている。従って、その後は、共通基端部３０を上方から押下することで、共通基端部３０の当接面２７、２８を固着部１５、１６に当接対向するように嵌合し、さらに、ネジ８２（図１参照）で締結することで、共通基端部３０を鍵フレーム１０に対して容易に固着することができる。
【００４８】
鍵ユニットＫＵは、複数存在するが、他の鍵ユニットＫＵについても組み付け手法は同様である。なお、共通基端部３０の鍵フレーム１０への固着作業は、すべての鍵ユニットＫＵの弾性部材３１を質量体５０の被嵌合凹部５５に係合させた後に行うようにしてもよい。
【００４９】
本実施の形態によれば、鍵ユニットＫＵを後方に移動させる動作によって、すべての弾性部材３１が、質量体５０の下側係合片５３と上側係合片５４との間に一斉に係合し、そのとき、共通基端部３０が鍵フレーム１０の固着可能な位置に位置するように構成したので、質量体５０を有する鍵盤装置において、鍵を個々に組み付ける構成に比し、複数鍵の組み付け作業を容易にすることができる。また、傾斜面１９が、鍵ユニットＫＵの装着ガイド機能を果たすので、鍵ユニットＫＵの組み付けが一層容易である。しかも、弾性部材３１が、被嵌合凹部５５に係合するとき、白鍵２０の被キーガイド部３３がキーガイド部１２に自動的に係合するので、被キーガイド部３３とキーガイド部１２との係合作業も容易である。
【００５０】
さらに、上述したような、傾斜面１９の傾斜の設定、傾斜面１９の上下方向の位置の設定、質量体５０の下側係合片５３の前端との隙間Ｃ１の設定等によって、鍵ユニットＫＵの鍵フレーム１０への組み付け作業を一層容易、円滑にすることができる。
【００５１】
また、傾斜面１９が、質量体５０の装着ガイド機能を兼ねることから、質量体５０の組み付けが容易であるだけでなく、構成が複雑化しない。
【００５２】
（第２の実施の形態）
本発明の第２の実施の形態は、上記第１の実施の形態に比し、鍵フレームの構成が異なり、その他の構成は第１の実施の形態と同様である。図８は、本発明の第２の実施の形態に係る鍵盤装置の前部の部分断面図である。
【００５３】
第１の実施の形態では、鍵フレーム１０の前部には、傾斜面１９（図４（ａ）参照）が形成された。これに対し、第２の実施の形態では、傾斜面１９に相当する傾斜面を有するガイド用部材を鍵フレームとは別体で構成し、これを鍵フレームに着脱可能に設ける。
【００５４】
図８に示すように、鍵フレーム８５の前部において、ガイド用部材装着部８８が形成されている。ガイド用部材装着部８８は、載置部８６と、該載置部８６より前方に１段下がった溝部８７とで構成される。ガイド用部材装着部８８は、全鍵盤幅に亘って断面一様に形成されている。ガイド用部材装着部８８には、ガイド用部材８９を装着／取り外しすることができる。ガイド用部材８９は、全鍵盤幅より少し長い程度の長尺に構成され、断面一様に形成されている。
【００５５】
ガイド用部材８９の下面は、載置部８６及び溝部８７に対応する段差形状となっており、載置部８６及び溝部８７の上にガイド用部材８９を載置するだけで装着状態となる。このとき、溝部８７にガイド用部材８９の突部８９ｂが嵌合されることで、ガイド用部材８９がガイド用部材装着部８８から後方へ脱落することが防止されている。ガイド用部材８９の上部には、傾斜面１９に相当する傾斜面８９ａが形成されている。装着状態において、傾斜面８９ａの形状は、傾斜面１９と同様である。ガイド用部材８９の材質は、特に限定はないが、樹脂またはフェルト、あるいは中空アルミの押し出し成型品等で構成される。
【００５６】
かかる構成において、質量体５０及び鍵ユニットＫＵの組み付けは、次のようになされる。まず、質量体５０の組み付けに先だって、ガイド用部材装着部８８にガイド用部材８９を装着する。このとき、後述する取り外しの便宜のため、鍵盤装置１の左右少なくとも一方の側方から、ガイド用部材８９を少し露出させておく。そして、ガイド用部材８９の傾斜面８９ａを装着ガイドとして利用して、質量体５０を、第１の実施の形態と同様の手法で組み付ける。その後、傾斜面８９ａを装着ガイドとして利用して、鍵ユニットＫＵを、第１の実施の形態と同様の手法で組み付ける。
【００５７】
すべての鍵ユニットＫＵの組み付けが完了した後、そのままの状態で、鍵盤装置１の側方から、ガイド用部材８９の露出した部分を持って、ガイド用部材８９を抜き取るようにして取り外す。ガイド用部材８９を取り外すために鍵盤装置１を分解等する必要はなく、容易に取り出し可能である。このようにして、質量体５０及び鍵ユニットＫＵの組み付けがなされる。ガイド用部材８９を取り外した後は、ガイド用部材装着部８８上のガイド用部材８９が存在していた領域に空きスペースが生じる。この空きスペースには、各種機能部品を配設可能である。例えば、演奏ガイド用ランプホルダ、センサ類等を配設してもよい。
【００５８】
ちなみに、鍵盤装置を流れ作業等で続けて多数製造する際には、ガイド用部材８９を複数の鍵盤装置の組み付けに利用すると作業性がよい。すなわち、今回組み付けした鍵盤装置から取り外したガイド用部材８９は、次に組み付けがなされる鍵盤装置において流用される。
【００５９】
本実施の形態によれば、第１の実施の形態と同様の効果を奏する。それだけでなく、ガイド用部材８９を除去した後の空きスペースを、各種機能部品の配設等に有効利用できるので、鍵盤装置１内の省スペースに寄与するだけでなく、設計の自由度が高くなって、多機種への対応も容易となる。また、この空きスペースには、鍵盤装置１の納品後においても、各種機能部品を後付けで配設可能である点でも便利である。
【００６０】
なお、ガイド用部材８９は、質量体５０及び鍵ユニットＫＵが組み付けられた状態のまま取り外すことができるようにすればよく、長さは、全鍵盤幅でなくてもよい。例えば、１つの鍵ユニットＫＵの幅と同じ長さに構成し、鍵ユニットＫＵを１つ組み付ける毎に取り外すようにしてもよい。また、ガイド用部材８９を、１つの鍵ユニットＫＵの幅と同じ長さに構成した場合は、ガイド用部材８９は、必ずしも複数設ける必要はなく、１つだけ用意してもよい。その場合、例えば、ガイド用部材８９を利用して１オクターブ分の質量体５０を組み付けたら、ガイド用部材８９を１オクターブ分だけ左右にずらせて、次の１オクターブ分の質量体５０を組み付けるようにしてもよい。鍵ユニットＫＵについても同様に、ガイド用部材８９を利用して１つの鍵ユニットＫＵを組み付けたら、ガイド用部材８９を１オクターブ分だけ左右にずらせて、次の鍵ユニットＫＵを組み付けるようにしてもよい。
【００６１】
なお、空きスペースの確保が必要でない場合は、ガイド用部材８９は、着脱可能に構成する必要はなく、装着状態のまま、鍵盤装置１として完成品としてもよい。
【００６２】
なお、第１、第２の実施の形態において、鍵ユニットＫＵは、３層構造としたが、複数鍵の組み付け作業を容易にするという観点からは、これに限られず、複数鍵が共通基端部で一体に接続されて成るものであればよい。
【００６３】
なお、第１、第２の実施の形態において、質量体５０の上側係合片５４、下側係合片５３は、白鍵２０に対応するものと黒鍵４０に対応するものとで、前後方向及び上下方向における位置が同一としたが、複数鍵の組み付け作業を容易にするという観点からは、これに限るものではなく、多少、前後方向及び上下方向に異なっていてもよい。そのようにする場合は、鍵ユニットＫＵにおいて、個々の弾性部材３１の位置が、対応する上側係合片５４、下側係合片５３の位置にそれぞれ合うように鍵ユニットＫＵを構成し、組み付け時において、全弾性部材３１が、対応する上側係合片５４、下側係合片５３に一斉に当接係合するように構成すればよい。
【００６４】
なお、上記第１、第２の実施の形態において、キーガイド部１２と被キーガイド部３３とを係合状態に導く案内部３２（図４（ｂ）参照）は、被キーガイド部３３、すなわち、白鍵２０に設けられたが、これとは逆に、鍵フレーム１０に設けてもよい。図９は、キーガイド部及び被キーガイド部の変形例を示す白鍵の前半部の裏面図である。
【００６５】
例えば、図９に示すように、白鍵２０の前端部２０ａに、底面視Ｔ字状のＴ字部９１が上下方向に沿って一体に形成される。Ｔ字部９１において、左右方向に平行なリブから被キーガイド部９２が後方に延設されており、この被キーガイド部９２が、上記被キーガイド部３３に相当する。一方、鍵フレーム１０の最前部には、底面視、前方に開口する凹状部９３が、上下方向に沿って、各白鍵２０の被キーガイド部９２に対応する位置に形成されている。
【００６６】
凹状部９３は、被キーガイド部９２の幅より僅かに大きい幅を有するキーガイド部９４を有すると共に、キーガイド部９４の前部に連接する案内部９５を有して一体に形成されている。キーガイド部９４が、上記キーガイド部１２に相当する。案内部９５は、上記案内部３２に相当する機能を果たす（図４（ｂ）参照）。
【００６７】
かかる構成において、鍵ユニットＫＵを鍵フレーム１０に組み付ける際に、案内部９５は、上記案内部３２と同様にして、キーガイド部９４と被キーガイド部９２とが適切に係合するように案内する機能を果たす。なお、キーガイド部、被キーガイド部及び案内部の形状は、これら例示したものに限定されるものではない。
【符号の説明】
【００６８】
１  鍵盤装置、  １０  鍵フレーム（支持部材）、  １２、９４  キーガイド部、  １５、１６  固着部（鍵基端部固着部）、  １９  傾斜面（鍵装着ガイド部）、  ２０  白鍵、  ３０  共通基端部、  ３１  弾性部材（駆動部）、  ３２、９５  案内部、  ３３、９２  被キーガイド部、  ４０  黒鍵、  ５０  質量体、  ５３  下側係合片（被駆動部）、  ８８  ガイド用部材装着部（装着部）、  ８９  ガイド用部材、  ８９ａ  傾斜面（鍵装着ガイド部）、  ＫＵ  鍵ユニット、  Ｃ１  隙間
【図１】
0004821897.tif 000002
【図２】
0004821897.tif 000003
【図３】
0004821897.tif 000004
【図４】
0004821897.tif 000005
【図５】
0004821897.tif 000006
【図６】
0004821897.tif 000007
【図７】
0004821897.tif 000008
【図８】
0004821897.tif 000009
【図９】
0004821897.tif 000010